(57)【要約】　　　（修正有）【課題】　簡単な作業で給気口に給気管とを接続し固定することができる給排気管を提供する。【解決手段】　給排気管１４は、屋内と屋外とを連通する内管と、この内管と所定の間隔を存して外側に設けられた外管とを備え、内管に接続された排気管１１と、内管１５と外管との間に連通する給気口と、この給気口に接続される給気管２４とを備える。給気口と給気管２４とを連結するための連結部材２０を備える。連結部材２０と給気管２４を相互に着脱可能に接続できる形状とする。【選択図】図１
0003100451.tif 000002
【実用新案登録請求の範囲】
【請求項１】
　屋内と屋外とを連通する内管と、該内管と所定の間隔を存して外側に設けられた外管とを備え、
　前記内管に接続された排気管と、前記内管と前記外管との間に連通する給気口と、この給気口に接続される給気管とを備えた給排気管において、
　前記給気口と前記給気管とを連結するための連結部材を備え、該連結部材を前記給気口に取り付けると共に、前記連結部材と給気管を相互に着脱可能に接続できる形状としたことを特徴とする給排気管。
【請求項２】
　前記連結部材は、一端が前記給気口に取り付けられ、他端にネジ形状部を有すると共に、前記給気管は、前記連結部材のネジ形状部に着脱可能に螺合するネジ形状とされていることを特徴とする請求項１の給排気管。
【考案の詳細な説明】
【技術分野】
【０００１】
　本考案は、内管に接続された排気管と、内管と外管との間に連通する給気口と、この給気口に接続される給気管とを備えた給排気管に関するものである。
【背景技術】
【０００２】
　従来よりこの給排気管は、特に室内に設けられた給湯機や暖房機などの燃焼器具に取り付けられている。この給排気管は、屋内と屋外とを連通する内管と、この内管と所定の間隔を存して外側に設けられた外管とからなる二重管にて構成されている。該内管は燃焼器具にて燃焼した排気ガスを屋外に排出し、内管と外管との間の空間部から屋外の外気を燃焼器具に給気するように構成されている（特許文献１参照）。
【０００３】
　ここで、給排気管と燃焼器具との具体的な接続例を図８に示している。給湯機や暖房機などの燃焼器具１００には、排気ガスを屋外に排気するためステンレスなどの金属板からなる円筒形の排気管１０１と、屋外の空気を給気する合成樹脂製の給気管１０８が接続されている。給気管１０８は伸縮及び折曲げ自在の蛇腹形状に構成されると共に螺旋形の雄ねじ形状を呈している。排気管１０１と給気管１０８は、ステンレスなどの金属板からなる円筒形の内管１０３と外管１０４とから二重管に形成され屋外に延在する給排気管１０２に接続されている。
【０００４】
　給排気管１０２には図９に示す如き内管１０３と外管１０４との間に連通する円筒形の給気口１０５が設けられており、この給気口１０５には所定の長さの、円筒形の連結部材１０７が嵌合されて溶接固定又はカシメ固定されている（図９白抜き矢印）。また、給気管１０８の両端には内部に雌ねじ形状のネジ部が設けられたゴム製のアダプタ１０９、１０９が螺合接続されており、一方のアダプタ１０９は給排気管１０２の連結部材１０７に、他方のアダプタ１０９は燃焼器具１００に設けられた吸込口（図示せず）に嵌合接続されている。尚、１０５Ａはスポット溶接部である。
【０００５】
　両アダプタ１０９、１０９の周囲はそれぞれ固定バンド１０８Ａ、１０８Ａが巻回されて締め付け工具などによって固定されている。また、排気管１０１は、給排気管１０２と燃焼器具１００に設けられた図示しない排気口に固定バンド１０１Ａ、１０１Ａでそれぞれ固定されている。尚、１０６は屋内フランジで給排気管１０２を屋内と屋外との間の壁（図示せず）に支持している。
【０００６】
【特許文献１】特開平９−１７８１６４号公報
【考案の開示】
【考案が解決しようとする課題】
【０００７】
　しかしながら、給排気管に給気管を固定する場合、給排気管に設けたアダプタが給気口に嵌合接続され、給気管の端部に螺合されたゴム製のアダプタが給気口に嵌合接続された後、固定バンドが巻回されて締め付け工具で固定されていた。このため、給気口と給気管との接続作業が煩雑であると共に、格別な工具を使用しなければ給気口と給気管とを接続することができないという問題があった。
【０００８】
　また、給排気管の給気口に給気管を接続するためにゴム製のアダプタやこのゴム製のアダプタを給気口に固定するための固定バンドが必要であった。このため、給排気管の組み立てコストが大幅に増大してしまう問題もあった。
【課題を解決するための手段】
【０００９】
　即ち、本考案の給排気管は、屋内と屋外とを連通する内管と、この内管と所定の間隔を存して外側に設けられた外管とを備え、内管に接続された排気管と、内管と外管との間に連通する給気口と、この給気口に接続される給気管とを備えたものであって、給気口と給気管とを連結するための連結部材を備え、この連結部材を給気口に取り付けると共に、連結部材と給気管を相互に着脱可能に接続できる形状としたことを特徴とする。
【００１０】
　また、請求項２の考案の給排気管は、上記に加えて、連結部材は、一端が給気口に取り付けられ、他端にネジ形状部を有すると共に、給気管は、連結部材のネジ形状部に着脱可能に螺合するネジ形状とされていることを特徴とする。
【考案の効果】
【００１１】
　以上詳述した如く本考案によれば、屋内と屋外とを連通する内管と、この内管と所定の間隔を存して外側に設けられた外管とを備え、内管に接続された排気管と、内管と外管との間に連通する給気口と、この給気口に接続される給気管とを備えたものであって、給気口と給気管とを連結するための連結部材を備え、この連結部材を給気口に取り付けると共に、連結部材と給気管を相互に着脱可能に接続できる形状としたので、例えば格別な工具を使用せずに給気口と給気管とを接続することができるようになる。これにより、給気口と給気管との接続作業を極めて容易に行うことが可能となる。従って、従来使用していた給気口に給気管を接続するためのゴム製のアダプタやゴム製のアダプタを給気口に固定するための固定バンドが不要となり、給排気管の組み立てコストの大幅な削減を図ることができるようになるものである。
【００１２】
　また、請求項２の考案によれば、上記に加えて、連結部材は、一端が給気口に取り付けられ、他端にネジ形状部を有すると共に、給気管は、連結部材のネジ形状部に着脱可能に螺合するネジ形状とされているので、連結部材に給気管を螺合するだけで給気口に給気管を接続固定することができる。これにより、例えば格別な工具を使用しなくても連結部材に給気管を螺合するだけの簡単な作業で給気口と給気管とを接続し固定することが可能となる。従って、給気口と給気管との接続作業を大幅に向上させることができるようになるものである。
【考案を実施するための最良の形態】
【００１３】
　本考案は、給気口と給気管とを格別な工具を使用せず簡単に接続することを目的とする。給気口と給気管とを簡単に接続するという目的を、給気口に連結部材の一端を取り付け、他端に給気管を螺合可能なネジ形状部を設けるという簡単な構造で実現した。
【実施例１】
【００１４】
　次に、図面に基づき本考案の実施形態を詳述する。図１は本考案の給排気管１４を備えた燃焼器具１０の正面図、図２は給気管２４の組み付け状態を示す燃焼器具１０の組み立て分解斜視図、図３は給排気管１４と内管１５との組み立て分解平面図、図４は給排気管１４と内管１５との組み立て平面図をそれぞれ示している。図１において、１４は給湯機や暖房機などの燃焼器具１０に取り付けられる給排気管で、この給排気管１４はステンレスなどの金属板にて構成されている。
【００１５】
　給排気管１４は、図示しない屋内と屋外とを連通する円筒形の内管１５と、この内管１５と所定の間隔を存して外側に設けられた外管１６とからなる二重管にて構成されている（図３）。該内管１５は、燃焼器具１０にて燃焼した排気ガスを屋外に排出するように構成されると共に、内管１５と外管１６との間の空間部からは屋外の外気を燃焼器具１０に給気できるように構成されている。
【００１６】
　そして、内管１５は排気管１１を介して燃焼器具１０に設けられた図示しない排気口に嵌合接続されると共に、排気管１１の両端は固定バンド１１Ａ、１１Ａにて固定されている。これによって、燃焼器具１０で燃焼した排気ガスを排気管１１から給排気管１４の内管１５を介して屋外に排出できるようになっている。
【００１７】
　また、給排気管１４には内管１５と外管１６との間に連通する円筒形の給気口１８が設けられている。この給気口１８は、連結部材２０及び給気管２４を介して燃焼器具１０に設けられ燃焼器具１０で燃焼に必要な空気を給気するための円筒形の吸込口２１に連通している。これによって、燃焼器具１０には給気管２４から連結部材２０、及び給排気管１４を介して屋外の外気を給気できるようになっている。
【００１８】
　給気管２４は、伸縮及び折曲げ自在の蛇腹形状に形成され、表面は螺旋形の雄ねじ形状を呈している。給気管２４の一側は後述する如き連結部材２０に連結されると共に、他側にはゴム製のアダプタ２５が螺合され接続されている。そして、外気を吸入する給気管２４は、燃焼器具１０で燃焼した排気ガスで高温に加熱されないので従来例同様の合成樹脂製にて構成され、燃焼器具１０で燃焼した排気ガスを屋外に排気する排気管１４は高温に加熱されるため熱で変形したり溶けたりしないステンレスなどの金属板にて構成されている。また、アダプタ２５は一側内部に給気管２４を螺合可能な雌ねじ形状の図示しないネジ部が設けられると共に、他側は円筒形に形成されて吸込口２１に嵌合可能に形成されている。
【００１９】
　また、連結部材２０は所定の長さの円筒形状を呈しており、一側内部に給排気管１４に設けられた給気口１８を挿入可能な嵌合部２０Ａが形成され、他側には給気管２４を螺合可能な雌ねじ状に形成されたネジ形状部２０Ｂが設けられている。この連結部材２０のネジ形状部２０Ｂは、蛇腹形状の給気管２４を伸長させた状態で螺合できるようになっている。即ち、連結部材２０は給気管２４と相互に着脱可能に接続できる形状に形成されている。
【００２０】
　そして、給排気管１４に設けられた給気口１８に連結部材２０の嵌合部２０Ａが嵌合される（図３白抜き矢印）。また、嵌合部２０Ａ周囲は複数箇所（実施の形態では周囲を等間隔で４箇所）溶接固定又はカシメ固定される（図４）。これによって、給気口１８に連結部材２０が固定される。尚、１９は給気口に１８に連結部材２０の嵌合部２０Ａを溶接固定したスポット溶接部である。この給気口１８と連結部材２０の嵌合部２０Ａは図５に示す如き給気口１８端部を嵌合部２０Ａで包み込んでカシメ固定（カシメ固定部２６）しても良い。
【００２１】
　そして、伸長させた給気管２４を連結部材２０に形成されたネジ形状部２０Ｂに螺合し給気管２４を連結部材２０に連結させる（図６、図７）。このとき給気管２４は、少なくとも連結部材２０のネジ形状部２０Ｂの長さ寸法だけ伸長させて連結部材２０に螺合する。次に、燃焼器具１０に設けられた吸込口２１に給気管２４の他側に接続されたアダプタ２５が嵌合されて、バンド２４Ａでアダプタ２５が吸込口２１に固定される。尚、給排気管１４のメンテナンス時には給排気管１４を連結部材２０への螺合した方向とは逆の方向に回転すれば連結部材２０より取り外せるので、容易に給排気管１４のメンテナンスを行うことができる。
【００２２】
　給排気管１４の一側（給気口１８側）には屋内フランジ１７が設けられ、他側には屋外フランジ１７Ａが設けられている。屋内フランジ１７は図示しない家屋の壁の屋内側に設けられ、屋外フランジ１７Ａは図示しない家屋の壁の屋外側に設けられて壁を挟持する。この屋内フランジ１７と屋外フランジ１７Ａで壁を挟持した状態で屋内フランジ１７と屋外フランジ１７Ａは給排気管１４を壁に支持する。
【００２３】
　そして、給気管２４は前記図２に示す如き先ず一側を連結部材２０に形成されたネジ形状部２０Ｂに螺合（図２矢印）して、給気管２４の一側を連結部材２０に連結する。次に、給気管２４を伸長或いは折曲げて他側を燃焼器具１０の吸込口２１に接近させて他側に固定したアダプタ２５を燃焼器具１０に設けられた吸込口２１に嵌合（図２矢印）しバンド２４Ａを巻回し締め付けることによって、給気管２４の他側を燃焼器具１０の吸込口２１に固定する。これによって、燃焼器具１０は屋外の空気を給排気管１４から連結部材２０、給気管２４、吸込口２１を介して給気できるようになっている。
【００２４】
　このように、給排気管１４は屋内と屋外とを連通する内管１５と、この内管１５と所定の間隔を存して外側に設けられた外管１６とを備えており、内管１５に接続された排気管１１と、内管１５と外管１６との間に連通する給気口１８と、この給気口１８に接続される給気管２４とを備えている。また、給気口１８と給気管２４とを連結するための連結部材２０を備えており、この連結部材２０を給気口１８に取り付けると共に、連結部材２０と給気管２４を相互に着脱可能に接続できる形状としているので、従来のように格別な工具を使用せずに給気口１８と給気管２４とを接続することができる。これにより、給気口１８と給気管２４との接続作業を極めて容易に行うことが可能となる。
【００２５】
　また、連結部材２０は、一端が給気口１８に取り付けられ、他端にネジ形状部２０Ｂを有すると共に、給気管２４は、連結部材２０のネジ形状部２０Ｂに着脱可能に螺合するネジ形状としているので、連結部材２０に給気管２４を螺合するだけで給気口１８に給気管２４を接続固定することができる。これにより、従来のように格別な工具を使用しなくても給気口１８と給気管２４とを簡単に接続することが可能となる。
【図面の簡単な説明】
【００２６】
【図１】本考案の給排気管を備えた燃焼器具の正面図である。
【図２】給気管の組み付け状態を示す燃焼器具の組み立て分解斜視図である。
【図３】給排気管と内管との組み立て分解平面図である。
【図４】給排気管と内管との組み立て平面図である。
【図５】給気口と連結部材の固定状態（給気口と嵌合部のカシメ固定）を示す図である。
【図６】連結部材に給気管を連結した状態を示す給排気管の平面図である。
【図７】連結部材と給気管とを連結した状態を示す拡大図である。
【図８】従来の給排気管を備えた燃焼器具の正面図である。
【図９】従来の給排気管と内管との組み立て分解平面図である。
【符号の説明】
【００２７】
　１０　燃焼器具
　１１　排気管
　１４　給排気管
　１５　内管
　１６　外管
　１８　給気口
　１９　溶接部
　２０　連結部材
　２０Ａ　嵌合部
　２０Ｂ　ネジ形状部
　２４　給気管
【図１】
0003100451.tif 000003
【図２】
0003100451.tif 000004
【図３】
0003100451.tif 000005
【図４】
0003100451.tif 000006
【図５】
0003100451.tif 000007
【図６】
0003100451.tif 000008
【図７】
0003100451.tif 000009
【図８】
0003100451.tif 000010
【図９】
0003100451.tif 000011